(57)【特許請求の範囲】
【請求項１】
地盤（Ｇ）に立設した縦支柱（Ｐ１）にセパレータ（１）が螺合されるべきサポート部材（Ｓ）を固定すると共に、このサポート部材（Ｓ）を利用して横支柱（Ｐ２）を縦支柱（Ｐ１）に直交して固定することにより、複数本の縦支柱（Ｐ１）と複数本の横支柱（Ｐ２）が格子状に組合わさると共に各支柱の交点にサポート部材（Ｓ）が配された支保枠体（Ｂ）を構成し、この支保枠体（Ｂ）の内側に剛性又は非剛性のせき板（Ｗ１）を重合すると共に、サポート部材（Ｓ）に取り付けられる押さえ板（８０）によりせき板（Ｗ１）を支保枠体（Ｂ）に押さえつけることにより、一方の支保工材及びせき板を施工することを特徴とする型枠工法。
【請求項２】
せき板（Ｗ１）は網状である請求項１記載の型枠工法。
【請求項３】
せき板（Ｗ１）はシート状である請求項１記載の型枠工法。
【請求項４】
せき板（Ｗ１）は板状である請求項１記載の型枠工法。
【請求項５】
一端にセパレータ（１）の端部の螺子部（２Ａ）が螺合される螺子孔（１１）を有するフォームタイ (登録商標) （１０）と、このフォームタイ (登録商標) （１０）が進入可能な中空部（２１）を有すると共に底部（２２）にこの中空部（２１）と連通してセパレータ（１）が貫通可能な開口（２３）を有する有底筒状のコーン（２０）を用い、このコーン（２０）にフォームタイ (登録商標) （１０）が貫通可能な筒状の止め具（３０）を螺合することにより両者間に他方のせき板（Ｗ２）を挟持固定する請求項１から４の何れかに記載の型枠工法。
【請求項６】
地盤（Ｇ）に立設した縦支柱（Ｐ１）に外挿固定されるべき縦支柱保持体（５０）に、内周をセパレータ（１）が螺合されるべき雌螺子部（５５）とすると共に、外周を雄螺子部（５６）としたシャフト（５４）を突設したサポート本体（Ｓ１）と、このシャフト（５４）に外挿されると共に縦支柱（Ｐ１）と直交させて配した横支柱（Ｐ２）を固定する手段を有する横支柱保持体（６０）と、この横支柱保持体（６０）を縦支柱保持体（５０）側に押圧固定するためにシャフト（５４）に螺合される押さえナット（７０）と、縦支柱（Ｐ１）及び横支柱（Ｐ２）に重合されるせき板（Ｗ１）を縦支柱保持体（５０）側に押圧するためにシャフト（５４）に螺合される押さえ板（８０）からなることを特徴とする型枠用サポート部材。
【請求項７】
横支柱保持体（６０）の上方を折り曲げて、縦支柱（Ｐ１）と直交させた横支柱（Ｐ２）を抱持することにより、横支柱保持体（６０）の横支柱（Ｐ２）への固定手段とした請求項６記載の型枠用部材。
【請求項８】
横支柱保持体（６０）に横支柱（Ｐ２）への釘または螺子のための貫通孔（６３）を設けることにより、横支柱保持体（６０）の横支柱（Ｐ２）への固定手段とした請求項６記載の型枠用部材。
【発明の詳細な説明】
【０００１】
【発明の属する技術分野】
この発明はコンクリート打設の型枠工法及びその工法に使用するための型枠用部材に関し、より詳細には地下室や、山崩れ防止等、型枠の一方に余裕が無い場合の施工に最適な型枠工法及び型枠用部材に関する。
【０００２】
【従来の技術】
通常、型枠工事においては、セパレータをもって結合されるせき板の外側を丸パイプ等のばた材からなる支保工材により支持する。
【０００３】
しかしながら、この工法は一対のせき板の外側から施工することを前提としており、例えば一方に土壁が迫っている地下室や崖等におけるコンクリート躯体のための型枠においては、この工法を行うためには土壁側に作業員が進入できるためのドライエリアを確保しなくてはならず、そのための余剰堀りを要する不便さがあった。
【０００４】
そのため、従来技術においては山止めのための矢板をはめ込む金属製のレールにセパレータを螺合するための金物を溶接することにより、せき板の内側から型枠を施工できるようにしていた。
【０００５】
【発明が解決しようとする課題】
しかしながら、上記の工法においては第一に山止めのためのレールにセパレータを螺合するための金物を固定しているので、施工後に打ち込んだレールを引き抜くと、セパレータも同時に引っ張られて打設したコンクリートにひび割れを生じて水漏れ等の原因となる問題があった。第二に、作業者に免許を要する溶接作業が不可避となり作業性が悪く、又、感電の危険がある雨天時や水濡れ時には施工できない問題もあった。
【０００６】
【課題を解決するための手段】
この発明は以上の従来技術の問題点を解消した型枠工法を提供することを目的として創作されたものであり、地盤に立設した縦支柱にセパレータが螺合されるべきサポート部材を固定すると共に、このサポート部材を利用して横支柱を縦支柱に直交して固定することにより、複数本の縦支柱と複数本の横支柱が格子状に組合わさると共に各支柱の交点にサポート部材が配された支保枠体を構成し、この支保枠体の内側に剛性又は非剛性のせき板を重合すると共に、サポート部材に取り付けられる押さえ板によりせき板を支保枠体に押さえつけることにより、一方の支保工材及びせき板を施工することを特徴とする。
【０００７】
又、ここではこの工法に使用するための型枠用サポート部材も開示するものであり、このサポート部材は地盤に立設した縦支柱に外挿固定されるべき縦支柱保持体に、内周をセパレータが螺合されるべき雌螺子部とすると共に外周を雄螺子部としたシャフトを突設したサポート本体と、このシャフトに外挿されると共に縦支柱と直交させて配した横支柱を固定する手段を有する横支柱保持体と、この横支柱保持体を縦支柱保持体側に押圧固定するためにシャフトに螺合される押さえナットと、横支柱及び縦支柱に重合されるせき板を縦支柱保持体側に押圧するためにシャフトに螺合される押さえ板からなることを特徴とする。
【０００８】
【発明の実施の形態】
図１はこの発明の型枠工法の概要を示す図である。この工法においては地盤（ここでは土間コンクリート）Ｇに複数本の縦支柱（ここでは鉄筋）Ｐ１を立設すると共に、これらの縦支柱Ｐ１の等位置にセパレータ１が螺合されるべきサポート部材Ｓをそれぞれ固定する。そして、このサポート部材Ｓを利用して横支柱Ｐ２を縦支柱に直交して固定する。その結果、複数本の縦支柱Ｐ１と複数本の横支柱Ｐ２が格子状に組合わさると共に各支柱の交点にサポート部材Ｓが配された支保枠体Ｂが構成される。
【０００９】
次いで、上記の支保枠体Ｂの内側に剛性又は非剛性のせき板Ｗ１を重合すると共に、サポート部材Ｓに取り付けられる押さえ板（後ほど図示）によりせき板を支保枠体Ｂに押さえつけることにより、一方の支保工材及びせき板が施工され、その後はサポート部材Ｓを利用してセパレータ１を固定し、他方のせき板及び支保工材を常法或いは下記の方法により施工して型枠が完成する。
【００１０】
以下、この発明のサポート部材を利用して行う上記の型枠工法の一例を図２乃至図５に基づき詳説する。図２及び図４はこの発明のサポート部材Ｓの構成を示す図である。図中符号Ｓ１はサポート部材Ｓを縦支柱Ｐ１に固定するためのサポート本体であり、縦支柱を挿通するための貫通孔５２及び、挿通した縦支柱に当接することによりそれに対する固定を行う固定用螺子５３を備えた筒状の縦支柱保持体５０から、内周をセパレータ１の端部の螺子部２Ｂが螺合されるべき雌螺子部５５とすると共に外周に雄螺子部５６を設けたシャフト５４を突設した構成よりなる。
【００１１】
上記のサポート本体Ｓ１のシャフト５４には縦支柱Ｐ１と直交させて配した横支柱Ｐ２を固定するための横支柱保持体６０が先ず外挿される。この横支柱保持体６０はシャフト５４が貫通可能な貫通孔６１を有し、この実施例では二股状とした上部６２を折り曲げ可能とした金属製の板状に構成している。横支柱Ｐ２はシャフト５４上に縦支柱Ｐ１に直交して接するように配された後、シャフトに外挿された上記の横支柱保持体６０が押し当てられると共に折り曲げられた横支柱保持体の上部６２により抱持されることによりサポート部材Ｓに固定される（図３及び５参照）。この実施例においては横支柱Ｐ２は隣り合うサポート部材間に架け渡し可能な程度の全長のものとし、一つのサポート部材に対し左右のサポート部材に架け渡される２本の横支柱Ｐ２、Ｐ２を固定している。尚、図中符号７０は横支柱保持体６０を縦支柱保持体側に押圧固定するためにシャフト５４に螺合される押さえナットである。又、横支柱保持体６０がシャフト５４に対し回転しないようにシャフトは断面非円形に構成されると共に、横支柱保持体の貫通孔６１もこの形状に合致するように構成される。又、横支柱Ｐ２及び縦支柱Ｐ１により構成される支保枠体Ｂには、更に補強のために補強用支柱を各支柱間に配してもよい（図示せず）。この場合はワイヤーによる結束等により補強用支柱を各支柱に固定することになる。
【００１２】
ところで、この発明の型枠工法においては横支柱Ｐ２は鉄筋に限らず、例えば木製の角材でもよく、そのために上記の横支柱保持体６０には横支柱を上部の折り曲げによる抱持でなく、釘や木螺子により固着するための貫通孔６３が設けられる。
【００１３】
次に、サポート本体Ｓ１のシャフト５４には横支柱Ｐ２及び縦支柱Ｐ１により構成される支保枠体Ｂに重合されるせき板Ｗ１を縦支柱保持体側に押圧するための押さえ板８０が螺合される（図３及び５参照）。この押さえ板８０は円盤状の押さえ板本体に螺合によりシャフト５４上を進退するためのナット部８１を固定した構成よりなる。
【００１４】
この発明においては、横支柱Ｐ２及び縦支柱Ｐ１により構成される支保枠体Ｂが存するのでせき板Ｗ１には剛性は必ずしも必要でなく、その材料の自由度は高く、この実施例では網状のものを想定している。せき板としてはその他にシート状のものや板状のものも想定でき、この実施例ではせき板が板状の場合に釘や木螺子により固着するための貫通溝８０を押さえ板８０に設けている。
【００１５】
以上のサポート部材Ｓを利用して一方の支保工材及びせき板を施工され、その後はサポート部材にセパレータ１を固定し、他方のせき板及び支保工材が施工され型枠が完成する。この実施例においては他方のせき板及び支保工材に関し図４及び図５に示す次の工法を採用している。
【００１６】
図中符号１０はこの場合のフォームタイ (登録商標−以下同じ−) である。在来のフォームタイがせき板の外側に突出したコーンの取り付け部に螺合されるものであったのに対し、このフォームタイは先端にセパレータ１を螺合固定した状態でコーンの中に挿入される。従って、このフォームタイ１０においては一端に設けられた螺子孔１１はセパレータ１の端部の螺子部２Ａが螺合されるためのものである。このフォームタイ１０の他端は在来のフォームタイと同様にリブ座金３０Ａの固定ナット３１Ａが螺合進退するための螺子部１３を有するが、後記する理由よりリブ座金３０Ａの一定限度の進行を阻止するフランジ状のストッパー１２が中途に設けられる。
【００１７】
次に図中符号２０はこの場合のコーンである。このコーンは在来のコーンと同様にせき板Ｗ２に固定されるが、在来のコーンのようにフォームタイとの螺合により固定されるのではなく、別途用意された筒状の止め具３０との螺合により固定される。このコーン２０は前記のフォームタイ１０が進入可能な中空部２１を有すると共に底部２２にこの中空部と連通してフォームタイの端部の螺合固定されたセパレータ１が貫通可能な開口２３を有する有底筒状に構成される。そして、開口側をせき板Ｗ２に設けた取り付け穴に挿入する取り付け部２４とすると共にその外周に段部２５を設け、更に中空部２１の内周に螺子溝を設ける。尚、この実施例においては取り付け部２４に対しコーン２０の本体を拡径部とすることにより段部２５を得ているが、この段部は例えばフランジ状として得てもよいことは勿論である。以上のコーン２０に対して用意される止め具３０は前記のフォームタイ１０が貫通可能な中空の筒状に構成され、コーン２０の取り付け部２４内周に螺合可能な螺子部３１を外周に設けると共にフランジ状の段部３２が設けられる。
【００１８】
他方のせき板及び支保工材の施工法は次の通りとなる。尚、図中符号ＨはＨ鋼からなるレール、同じくＹはレール間に嵌められる矢板である。
▲１▼他方のせき板Ｗ２にコーン２０が、せき板を挟んでその取り付け部２４を止め具３０と螺合することにより固定される。即ち、せき板Ｓ１に穿設した取り付け穴に挿入されたコーン２０の取り付け部２４の内周には反対側から止め具３０の螺子部３１が螺合されることにより、コーン２０の段部２５と止め具３０の段部３２によりせき板Ｗ２を挟持する。
▲２▼螺子部２Ａと螺子孔１１によりセパレータ１をフォームタイ１０の一端に螺合固定した状態で、セパレータをコーン２０の開口から内部に挿入し、コーンの底部２２の開口２３からセパレータの他端を型枠内に進行させる。
▲３▼セパレータ１をこの発明のサポート部材Ｓのシャフト５４の螺子孔５５に達するまで進行させ、フォームタイ１０ごと回転することにより螺子部２Ｂと螺子孔５５によりセパレータをサポート部材Ｓに螺合固定する。この段階においてセパレータ１の一端はコーン２０の底部２２の内壁面に当接するので、結果的にセパレータはサポート部材Ｓとコーン２０間に支持される。
▲４▼フォームタイ１０にはリブ座金３０Ａが外挿されると共にその固定ナット３１Ａが螺合され、リブ座金３０Ａとせき板Ｗ２の外側の間にばた材となる丸パイプ３２Ａ、３２Ａが挟持固定される。尚、この場合固定ナット３１Ａを締め過ぎるとサポート部材Ｓに螺合されたセパレータ１を引き戻そうという力が働いてしまうので、これを防止するために固定ナット３１Ａ（それに伴うリブ座金３０Ａ）の一定限度の進行を阻止するためのフランジ状のストッパー１２がフォームタイ１０の中途に設けられる。
【００１９】
尚、図６における図中符号９０は以上の実施例においてサポート部材Ｓとフォームタイ１０の距離が長い場合に、複数本のセパレータ１を結合して延長するためのジョイント部材である。このジョイント部材９０は上下にセパレータ１の螺子部２Ａ、２Ｂが螺合貫通される螺子孔９１、９２を設けた構成よりなる。この場合、両螺子孔の螺子方向を逆向きとした場合にはジョイント部材９０自体を回転させることによりセパレータ１同士を伸長することができ、螺子方向を同一とした場合にはフォームタイ１０を回転することにより伸長することができる。
【００２０】
【発明の効果】
▲１▼以上の構成よりなるこの発明の型枠工法及び型枠用サポート部材によれば、一方のせき板側に寸法的な余裕がない現場であっても、せき板の内側から施工するので型枠を施工することが可能となり、従来技術のような余剰堀りが不要となり経済的な施工が実現される。
▲２▼又、従来技術のように山止めのためのレールにセパレータを螺合するための金物を固定する構成を採用していないので、セパレータが引っ張られて打設したコンクリートにひび割れを生じて水漏れ等の原因となることがなく、更に、溶接作業が不要となるので作業性が向上する。
▲３▼一方、横支柱及び縦支柱により構成される支保枠体が存するのでせき板には剛性は必ずしも必要でなく、古くなった型枠合板や古くなったシート等の廃材、左官用ラス網、薄物合板、亜鉛板等、素材を選ばず使用でき経済的である。
【図面の簡単な説明】
【図１】  この発明の施工過程を示す正面図。
【図２】  この発明のサポート部材の分解斜視図。
【図３】  この発明の施工過程を示す一部切り欠き側面図。
【図４】  この発明のサポート部材及び実施例で使用する部材の一部切り欠き側面図。
【図５】  この発明の施工例を示す一部切り欠き側面図。
【図６】  この発明の実施例に使用するジョイント部材の一部切り欠き側面図。
【符号の説明】
Ｓ    サポート部材
Ｐ１  縦支柱
Ｐ２  横支柱
Ｂ    支保枠体
Ｗ１  （一方の）せき板
１    セパレータ
【図１】
0004401002.tif 000002
【図２】
0004401002.tif 000003
【図３】
0004401002.tif 000004
【図４】
0004401002.tif 000005
【図５】
0004401002.tif 000006
【図６】
0004401002.tif 000007